(57)【要約】【課題】清掃性に優れた水洗式便器を提供する。【解決手段】水洗式便器１０は、開口部２０Ｓと、傾斜面４０と、を有する便鉢部２０を備える。開口部２０Ｓは、上方に向けて開口する。傾斜面４０は、開口部２０Ｓの開口縁２０Ｒに設けられ、便鉢部２０の中央側に向かうにつれて下方に傾斜するとともに開口縁２０Ｒの後方から側方に向かうにつれて幅寸法Ｗが徐々に小さくなる。【選択図】図５
2020200607.tif 000002
【特許請求の範囲】
【請求項１】
便鉢部を備え、
前記便鉢部は、
上方に向けて開口する開口部と、
前記開口部の開口縁に設けられ、前記便鉢部の中央側に向かうにつれて下方に傾斜するとともに前記開口縁の後方から側方に向かうにつれて幅寸法が徐々に小さくなる傾斜面と、を有する水洗式便器。
【請求項２】
前記傾斜面は、前記開口縁の後方から側方に向かうにつれて、前記便鉢部の中央側に向けた傾斜角度が徐々に大きくなる請求項１に記載の水洗式便器。
【請求項３】
前記便鉢部は、前記開口縁に前記便鉢部の中央側に向けて突出するオーバーハング部を更に有し、
前記傾斜面は、前記オーバーハング部の上面に形成されている請求項１から請求項２のいずれか１項に記載の水洗式便器。
【請求項４】
前記オーバーハング部の下面は、前記開口縁の後方において、前記便鉢部の中央から外側に向かうにつれて下方に傾斜する請求項３に記載の水洗式便器。
【請求項５】
上方に機能部品が取り付けられる水洗式便器であって、
前記傾斜面は、前記機能部品のベースプレートの下面に沿って傾斜する請求項１から請求項４のいずれか１項に記載の水洗式便器。
【発明の詳細な説明】
【技術分野】
【０００１】
本開示は水洗式便器に関するものである。
【背景技術】
【０００２】
特許文献１は従来の水洗式便器を開示している。この水洗式便器は、便鉢部を備えている。便鉢部は上部周縁部に形成したリム通水路を有している。リム通水路は、便鉢部の中央側に緩やかに傾斜した棚部と、棚部に連続して外周側に立ちあがった側壁部と、側壁部の上端部から内側に延びて上方に張り出した庇部とを有している。特許文献１の図２を参照するに、この水洗式便器は、便鉢部における開口縁の後方において、庇部の上面が便鉢部の中央側に向かって下方に傾斜しているように見受けられる。
【先行技術文献】
【特許文献】
【０００３】
【特許文献１】特開２０１２−２０２１４３号公報
【発明の概要】
【発明が解決しようとする課題】
【０００４】
便鉢部における開口縁の後方は、男子小便時の飛沫や便鉢部の上方に取り付けられた機能部品の下面を伝った水が付着しやすい部位である。開口縁の後方において、傾斜面の外側の上面部に小便や機能部品の下面を伝った水が付着すると、付着した液滴が便鉢部内に落ちることなく水洗式便器の汚れとなる。傾斜面によりこのような汚れの要因となる液滴を受けて、便鉢部内に落とすことが望まれている。
【０００５】
特許文献１の水洗式便器は、開口縁における傾斜面の幅寸法がどのように設定されているか不明である。この水洗式便器は、清掃性を改善するという観点において、開口縁の傾斜面の幅寸法について検討する余地がある。
【０００６】
本開示は、清掃性に優れた水洗式便器を提供することを解決すべき課題としている。
【課題を解決するための手段】
【０００７】
本開示の水洗式便器は、便鉢部を備え、前記便鉢部は、上方に向けて開口する開口部と、前記開口部の開口縁に設けられ、前記便鉢部の中央側に向かうにつれて下方に傾斜するとともに、前記開口縁の後方から側方に向かうにつれて幅寸法が徐々に小さくなる傾斜面と、を有する。
【図面の簡単な説明】
【０００８】
【図１】実施形態１の便座装置が取り付けられた状態の水洗式便器の斜視図である。
【図２】実施形態１の水洗式便器の上面図である。
【図３】図２の矢視ＩＩＩ−ＩＩＩ断面図である。
【図４】図２の矢視ＩＶ−ＩＶ断面図である。
【図５】開口縁を左斜め上方から視た斜視図である。
【図６Ａ】図５の矢視Ａ−Ａ断面図であって、開口縁の後方におけるオーバーハング部の断面図である。
【図６Ｂ】図５の矢視Ｂ−Ｂ断面図であって、開口縁の側方におけるオーバーハング部の断面図である。
【発明を実施するための形態】
【０００９】
本開示の水洗式便器を具体化した実施形態１について、図面を参照しつつ説明する。以下の説明において、水洗式便器を正面から視て、手前側が前方、奥側が後方である。左右方向及び上下方向は、水洗式便器を正面から視た左右方向及び上下方向である。図２の左側が左側、右側が右側である。図３の右側が前方、左側が後方であり、図３の上方が上方、下方が下方である。
【００１０】
＜実施形態１＞
実施形態１の水洗式便器１０は、図１に示すように、壁面１００に取り付けられる。水洗式便器１０は、上方に便座装置９０が取り付けられている。便座装置９０は、機能部品であり、機能部９１及び便座部９３を備えている。機能部９１は内部に図示しない局部洗浄機構や脱臭機構等が収納されている。機能部９１は便座部９３を起立状態と倒伏状態に回動自在に軸支している。図１においては、便座部９３の倒伏状態を示す。便座部９３は倒伏状態で便鉢部２０の上方に位置する。
【００１１】
水洗式便器１０は、図２及び図３に示すように、便鉢部２０、給水路５０、排水路６０、上面部７０、及び側壁部８０を備えている。便鉢部２０は上方に開口している。便鉢部２０の開口部２０Ｓは、上方から見た平面視において、前後方向に長い長円形状である。以下の説明では、便鉢部２０の前後方向において、後述する立ち面２５Ａ下端における前端位置と後端位置の間を４等分した場合に前側の１／４の領域を便鉢部２０の前方領域２０Ａと称する。
【００１２】
便鉢部２０は、鉢面２１、凹部２３、導水路２５、オーバーハング部２７、第１吐水口２９、第２吐水口３０、及びガイド部３３を有している。鉢面２１は、すり鉢状に形成されている。鉢面２１は、便鉢部２０の後方において前方領域２０Ａより凹部２３に向かう傾斜角度が大きくなっている。鉢面２１で受け止められた汚物は、鉢面２１に沿って旋回しつつ流下する洗浄水とともに、凹部２３と排水路６０を通って排出される。
【００１３】
凹部２３は、鉢面２１の下方に形成されている。凹部２３は、便鉢部２０の後方寄りに配され、排水路６０に連なっている。凹部２３は洗浄水を貯留する溜水部２４を有している。凹部２３は、鉢面２１から連続して設けられている。凹部２３の前壁は、鉢面２１の下端から下方に向けて屈曲する形で垂下する。凹部２３の後壁は、鉢面２１から傾斜角度が徐々に大きくなる形で垂下する。
【００１４】
導水路２５は、図３及び図４に示すように、便鉢部２０内を旋回する洗浄水が流れるように構成される。導水路２５は、便鉢部２０の内周縁部に、略全周に亘って形成されている。導水路２５は、立ち面２５Ａと、立ち面２５Ａの下端から溜水部２４に向けて下り傾斜した導水路傾斜面２５Ｂと、を有している。立ち面２５Ａは、導水路２５の外周側において上下方向に立ち上がる面である。立ち面２５Ａは、便鉢部２０内を旋回する洗浄水を案内する。立ち面２５Ａは、便鉢部２０の前方領域２０Ａにおいて、平面視における曲率半径が略一定な構成である（図２参照）。本願において、「曲率半径が略一定」とは、例えば便鉢部２０の前方領域２０Ａ全体における曲率半径の変化が２０％以内であるものとする。導水路傾斜面２５Ｂは、便鉢部２０の左右及び後方では棚面２６によって構成され、便鉢部２０の前方では鉢面２１によって構成される。棚面２６は、鉢面２１より溜水部２４側に向かう傾斜角度が小さく、溜水部２４側に向かうにつれて緩やかに下方に傾斜して延びている。導水路傾斜面２５Ｂにおいて、棚面２６と鉢面２１とは溜水部２４側に向かう傾斜角度が徐々に変化する形で連続的に形成されている。
【００１５】
オーバーハング部２７は、便鉢部２０の開口縁２０Ｒに、略全周に亘って形成されている。オーバーハング部２７は、便鉢部２０の中央側に向けて突出し、導水路２５の上方を覆う。オーバーハング部２７は、洗浄水等が便鉢部２０の外側に向かうことを抑制する。オーバーハング部２７は、便鉢部２０の左右及び後方における突出量が便鉢部２０の前方における突出量より大きくなっている。本実施形態において、「便鉢部２０の中央」は、便鉢部２０の開口部２０Ｓの中心である。
【００１６】
第１吐水口２９及び第２吐水口３０は、図２に示すように、それぞれ立ち面２５Ａに開口する。第１吐水口２９は、便鉢部２０の左側に位置し、第２吐水口３０は、便鉢部２０の右側に位置する。第１吐水口２９は、便鉢部２０の前後方向の中間部において、左側の上部に形成されている。第１吐水口２９は、給水路５０の第１吐水流路５５の下流端に位置し、前方に向けて開口する。第１吐水口２９は、前側に向けて便鉢部２０内を旋回する洗浄水を吐水する。第２吐水口３０は、便鉢部２０の後方において、右側の上部に形成されている。第２吐水口３０は、給水路５０の第２吐水流路５７の下流端に位置し、左方向に向けて開口する。第２吐水口３０は、左後方（便鉢部２０内を旋回して流れてきた洗浄水と同じ方向）に向けて洗浄水を吐水する。第２吐水口３０は、便鉢部２０内を旋回する洗浄水の流れの下流端に位置している。本願において、「便鉢部２０内を旋回する洗浄水の流れの下流端」とは、便鉢部２０内を旋回して流れてきた洗浄水の少なくとも一部について、流れる方向が変更されて、旋回方向に向けて流れなくなる位置を意味する。
【００１７】
給水路５０は、図２及び図３に示すように、水洗式便器１０の左右中央の後方上部に配され、上流端の流入口５１が後方に向けて開口している。給水路５０の流入口５１は、図示しない連結部材によって、壁面１００に引き出された洗浄水の供給管１０１に洗浄水が漏出しないように水密状に連結される。この給水路５０は、上流端から前方に延びた導入流路５３と、導入流路５３の下流端で分岐された第１吐水流路５５と第２吐水流路５７とを有している。第１吐水流路５５は、便鉢部２０の後方から左方に向かって前方向に延びている。第１吐水流路５５の下流端は第１吐水口２９に連通している。第２吐水流路５７は、便鉢部２０の後方から右方に向かって、右端部で折り返されている。第２吐水流路５７の下流端は第２吐水口３０に連通している。
【００１８】
排水路６０は、上流端が凹部２３の底面に開口する流入口６１に連通する。排水路６０は、後側下方に向けて延びる導入流路６３と、導入流路６３の下流端に連続して後側上方に向けて延びる上昇流路６５と、上昇流路６５の下流端に連続して後側下方に向けて延びるとともに排水管１０３に連結される下降流路６７を有している。下降流路６７の下流端は後方に開口しており、図示しない接続部材等を介して、壁面１００に引き出された排水管１０３に排水が漏出しないように水密状に連結される。
【００１９】
上面部７０は、図２に示すように、便鉢部２０の上端縁部から前方、両側方に広がるリム部７１と、便鉢部２０の上端縁部から後方に広がる後面部７３とを有している。リム部７１は、平面視Ｕ字型をなし、倒伏状態の便座部９３が載置される。後面部７３は、平面視矩形状をなし、上方に機能部９１が載置される。
【００２０】
側壁部８０は、図３及び図４に示すように、便鉢部２０と排水路６０とを囲むように、上面部７０の外周縁から垂下し前端部から左右側方に連続している。排水路６０の下端部が僅かに側壁部８０の下端縁より下方に位置している。つまり、この水洗式便器１０は、側壁部８０が前面から左右側面にかけて連続的に湾曲した曲面によって形成されているため、便鉢部２０と排水路６０のほとんどが外側から視認することができない。
【００２１】
便鉢部２０は、開口縁２０Ｒに便鉢部２０の中央側に向かうにつれて下方に傾斜する傾斜面４０を有している。この傾斜面４０の構成について図５、図６Ａ、図６Ｂ、及び図６Ｃを参照しつつ説明する。図６Ａ、図６Ｂ、及び図６Ｃは、便鉢部２０の中央を通る鉛直面で切断して視たオーバーハング部２７の一部断面図である。開口縁２０Ｒの後方は、開口縁２０Ｒの左右方向中央における後側の位置である。開口縁２０Ｒの側方は、開口縁２０Ｒの前後方向中央における右側及び左側の位置である。図６Ｂでは開口縁２０Ｒの右側の位置を示す。図６Ａ〜図６Ｃにおいては図示しないが、開口縁２０Ｒの前方という場合には、開口縁２０Ｒの左右方向中央における前側の位置を意味する。
【００２２】
傾斜面４０は、オーバーハング部２７の上面に形成されている。この傾斜面４０は、後述するベースプレート９１Ａの下面に倣う形で、わずかに凹むように湾曲している。この傾斜面４０における便鉢部２０の中央側の端部は、オーバーハング部２７の先端２７Ａとされる。傾斜面４０における便鉢部２０の外側の端部は、上面部７０に連なる。
【００２３】
傾斜面４０の幅寸法Ｗは、オーバーハング部２７の先端２７Ａと、傾斜面４０と上面部７０との間の角部Ｐ１との間の、水平方向における寸法とする。傾斜面４０と上面部７０との間の角部がＲ形状をなす場合には、Ｒ面の中央位置を角部Ｐ１の位置として特定する。
【００２４】
傾斜面４０の便鉢部２０の中央側に向けた傾斜角度θは、上面部７０と傾斜面４０との間の角度とする。傾斜面４０が湾曲している場合には、傾斜面４０の近似平面と上面部７０との間の角度として傾斜角度θを算出する。
【００２５】
図６Ａに示す開口縁２０Ｒの後方において、オーバーハング部２７は、便鉢部２０の中央を通る鉛直面で切断して視た断面において、略三角形状をなしている。この位置において、オーバーハング部２７は、傾斜面４０の幅寸法Ｗより上面部７０を構成する部分の幅寸法の方が小さい。オーバーハング部２７は、上面における１／４以上、より好ましくは半分以上、さらに好ましくは３／４以上が傾斜面４０となっている。オーバーハング部２７の傾斜角度θは、９０°より小さく、さらに、抜き勾配によって開口縁２０Ｒに設定される傾斜角度より小さい。傾斜面４０の幅寸法Ｗは、傾斜面４０の高さ寸法が同等の場合、傾斜角度θが小さくなるのに伴って大きくなる。本実施形態では、開口縁２０Ｒの後方において、傾斜角度θが約４０°程度に設定されており、傾斜面４０の幅寸法Ｗが十分に確保されている。
【００２６】
便鉢部２０は、後面部７３に機能部９１が取り付けられている。機能部９１は、下部にベースプレート９１Ａを備える。オーバーハング部２７の傾斜面４０は、機能部９１のベースプレート９１Ａの下面に沿って傾斜する形をなす（図３参照）。具体的には、ベースプレート９１Ａは、便鉢部２０の開口縁２０Ｒの内側に延出する延出部９１Ｂを有する。延出部９１Ｂには、局部洗浄機構のノズルが進退する開口が形成されている。延出部９１Ｂの下面は、ノズルの進退方向に沿って便鉢部２０の中央側に向かうにつれて下方に傾斜している。開口縁２０Ｒの後方において、オーバーハング部２７は、延出部９１Ｂとの間に隙間を有し、延出部９１Ｂとの干渉を避ける形で傾斜面４０の傾斜角度θが設定されている。
【００２７】
オーバーハング部２７の下面４１は、開口縁２０Ｒの後方において、便鉢部２０の中央から外側に向かうにつれて下方に傾斜する。この構成によれば、オーバーハング部の下面が便鉢部の中央から外側に水平に延びる構成に比して立ち面２５Ａの高さ寸法が小さくなる。開口縁２０Ｒの後方において、オーバーハング部２７の直ぐ後方には、上面部７０の後面部７３に凹設される形で空間７３Ａが形成されている。この空間７３Ａは、排水路６０に連通する開口を塞ぐ蓋部材（不図示）が配置される空間である。オーバーハング部２７は、後部に空間７３Ａの前壁となる壁部４５を備えている。開口縁２０Ｒの後方では、機能部９１や空間７３Ａ等の周囲の構造との兼ね合いでオーバーハング部２７の形状が制約され得る。オーバーハング部２７の下面４１が傾斜面４０に対して逆傾斜することにより、オーバーハング部２７の上下の寸法を確保して中空部４３を形成できる。開口縁２０Ｒの後方において、オーバーハング部２７に中空部４３を形成することにより、空間７３Ａを形成した構成においてもオーバーハング部２７の剛性を高くできる。
【００２８】
図６Ｂに示す開口縁２０Ｒの側方において、オーバーハング部２７は、便鉢部２０の中央を通る鉛直面で切断して視た断面において、便鉢部２０の中央側に向けて突出するように形成されている。この位置において、オーバーハング部２７は、傾斜面４０の幅寸法Ｗより上面部７０を構成する部分の幅寸法の方が大きい。このような構成により、開口縁２０Ｒの側方において上面部７０のリム部７１の幅寸法が確保され、便座部９３を安定的に載置可能となる。開口縁２０Ｒの側方において、オーバーハング部２７の下面４１は、便鉢部２０の中央から外側に向かうにつれて下方に傾斜する。開口縁２０Ｒの側方において、オーバーハング部２７と便鉢部２０の外側の壁部との間に中空部４３が形成されている。
【００２９】
傾斜面４０は、開口縁２０Ｒの後方から側方に向かうにつれて幅寸法Ｗが徐々に小さくなる。傾斜面４０は、開口縁２０Ｒの後方から側方に向かうにつれて、便鉢部２０の中央側に向かう傾斜角度θが徐々に大きくなる。傾斜面４０は開口縁２０Ｒにおいて左右対称に形成されている。図５に示すように、傾斜面４０の幅寸法Ｗは、開口縁２０Ｒの側方近傍と後方近傍において変化量が小さく、側方から後方に向かって湾曲しつつ延びる付近において変化量が大きくなっている。傾斜面４０の傾斜角度θは、傾斜面４０の幅寸法Ｗと同様に、開口縁２０Ｒの側方近傍と後方近傍において変化量が小さく、側方から後方に向かって湾曲しつつ延びる付近において変化量が大きくなっている。傾斜面４０は、開口縁２０Ｒの側方から前方に向かうにつれて幅寸法Ｗが徐々に小さくなる。傾斜面４０は、開口縁２０Ｒの側方から前方に向かうにつれて傾斜角度θが徐々に大きくなる。開口縁２０Ｒの前方では、傾斜面４０の傾斜角度が約９０°となり、傾斜面４０の幅寸法Ｗが約０ｍｍとなる。傾斜面４０の高さ寸法は、開口縁２０Ｒの全周において略一定とされる。この傾斜面４０の高さ寸法は、便鉢部２０の中央を通る鉛直面で切断して視た断面において、上面部７０における便鉢部２０の中央側の端部の位置を基準として、オーバーハング部２７の先端２７Ａまでの高さとして算出する。
【００３０】
次に、このような構成を有する水洗式便器１０の作用について説明する。この水洗式便器１０は、図示しないリモートコントローラに設けた便器洗浄スイッチを操作すると、給水路５０を介して第１吐水口２９及び第２吐水口３０から吐水する。これによって、この水洗式便器１０は便器洗浄を実行する。
【００３１】
第１吐水口２９から吐水した洗浄水は、図２に示すように、便鉢部２０の導水路２５に沿って便鉢部２０内を反時計回りに旋回して流れる。この際、洗浄水の一部は、導水路傾斜面２５Ｂの傾斜によって凹部２３へ向けて流下する。立ち面２５Ａは、便鉢部２０の前方領域２０Ａにおいて、平面視における曲率半径が略一定な構成である。このため、立ち面２５Ａに案内されつつ旋回する洗浄水は、例えば、便鉢部の前端に向かって曲率半径が小さくなる立ち面を有する場合に比して、便鉢部２０の前方領域２０Ａで流速が低下しにくくなっている。立ち面２５Ａに沿って旋回して便鉢部２０の前方領域２０Ａを通過した洗浄水は、便鉢部２０の右側領域から後方に向かう。
【００３２】
便鉢部２０の右側領域である開口縁２０Ｒの側方においては、オーバーハング部２７の突出量が大きいから、洗浄水が便鉢部２０の上部に巻き上がることが抑制される。便鉢部２０の右側領域を通過して、左後方に向けて流れる洗浄水は、ガイド部３３に衝突する（図２参照）。すると、洗浄水の主流の流れる方向が、衝突により左側に向かう方向に変化する。このガイド部３３もオーバーハング部２７の下方に設けられている。ガイド部３３に衝突した洗浄水の主流は、ガイド部３３の突出方向に沿って左側に向けて案内される。ガイド部３３の突出端面まで案内された洗浄水は、棚面２６及び鉢面２１の傾斜によって凹部２３の後方領域２３Ｂに向けて流下して、凹部２３に導入される。つまり、ガイド部３３は、第１吐水口２９から吐水され、便鉢部２０内を旋回する洗浄水の下流端において、凹部２３の後方領域２３Ｂに向かう洗浄水の流れを形成する。
【００３３】
第２吐水口３０から吐水した洗浄水、及び第１吐水口２９から吐水した洗浄水のうちガイド部３３を通過した洗浄水は、便鉢部２０の後方領域である開口縁２０Ｒの後方において、勢いよく流れる旋回流を形成する。本実施形態では、開口縁２０Ｒの後方において、オーバーハング部２７の突出量が十分に確保されているから、洗浄水が便鉢部２０の上部に巻き上がることが抑制される。第２吐水口３０から左側やや後方に向かって吐出された洗浄水の一部は、棚面２６に沿って旋回して、凹部２３の前方領域に流下する。第２吐水口３０から左側やや後方に向かって吐出された洗浄水の一部は、棚面２６及び鉢面２１の傾斜によって凹部２３の後方領域２３Ｂに向けて流下する。凹部２３に流入した洗浄水は、排水路６０の流入口６１に向けた流れを形成し、排水路６０の流入口６１に向けて汚物等を押し込むような洗浄水の流れを形成する。つまり、この水洗式便器１０は第１吐水口２９及び第２吐水口３０から吐水する洗浄水の水量を少なくしても、汚物等の排出を良好に行うことができる。
【００３４】
本実施形態の水洗式便器１０の使用状態について説明する。男子が立って小便をして、小便の飛沫が開口縁２０Ｒに付着した場合や、機能部９１の下面を伝った水が開口縁２０Ｒに付着した場合に、液滴が傾斜面４０に付着すると、傾斜面４０の傾斜により液滴が便鉢部２０内に落ちる。仮に、小便の飛沫や機能部９１の下面を伝った水が上面部７０に付着すると、付着した液滴が便鉢部２０内に落ちることなく水洗式便器１０の汚れとなる。つまり、便鉢部２０の開口縁２０Ｒに傾斜面４０を設けることにより、液滴を受けて便鉢部２０内に流下させる帯状の汚れ低減領域を形成することができる。開口縁２０Ｒの後方は、男子が立って小便をした場合等に、特に小便が付着しやすい部分である。開口縁２０Ｒの後方は、局部洗浄機構等の機能部９１が取り付けられた水洗式便器１０において、機能部９１を伝った水が付着しやすい部分である。本実施形態では、特に汚れが付着しやすい開口縁２０Ｒの後方に、側方より幅寸法が大きい汚れ低減領域が形成されることにより、水洗式便器１０の清掃性が良好となる。
【００３５】
オーバーハング部２７は、開口縁２０Ｒの後方において、便鉢部２０の後方を旋回して流れる洗浄水の流量に応じて、洗浄水の巻き上がりを抑制可能な突出量に設定されている。この位置において、オーバーハング部２７の突出量を大きくすると、オーバーハング部２７と機能部９１とが干渉することが懸念される。本実施形態では、傾斜面４０を機能部９１のベースプレート９１Ａの下面に沿わせた形状とすることにより、機能部９１との干渉を避けることができる。つまり、本実施形態のオーバーハング部２７は、洗浄水の巻き上がり抑制と、機能部９１との組み付け性を両立した構造となっている。さらに、このような傾斜面４０を機能部９１と干渉する部位のみならず、側方まで連続して設けることにより、開口縁２０Ｒに段差等が形成されることがない。このため、水洗式便器１０を清掃する際に、開口縁２０Ｒの後方から側方に連続して一拭きで汚れをふき取ることができる。
【００３６】
以上説明したように、本実施形態の水洗式便器１０は、開口部２０Ｓと、傾斜面４０と、を有する便鉢部２０を備える。開口部２０Ｓは、上方に向けて開口する。傾斜面４０は、開口部２０Ｓの開口縁２０Ｒに設けられ、便鉢部２０の中央側に向かうにつれて下方に傾斜するとともに開口縁２０Ｒの後方から側方に向かうにつれて幅寸法Ｗが徐々に小さくなる。この水洗式便器１０によれば、男子小便時の飛沫や、局部洗浄機構等の機能部９１を伝った水等が付着しやすい開口縁２０Ｒの後方において、傾斜面４０の幅寸法Ｗが大きいから、そのような液滴を傾斜面４０で受けて、便鉢部２０内に落とすことができる。この結果、水洗式便器１０の清掃性を良好なものとすることができる。
【００３７】
本実施形態では、傾斜面４０は、開口縁２０Ｒの後方から側方に向かうにつれて、傾斜角度θが徐々に大きくなる。この構成によれば、開口縁２０Ｒにおいて後方から側方にかけて傾斜面４０の高さ寸法の変化量を抑えつつ、開口縁２０Ｒの後方において傾斜面４０の幅寸法Ｗを確保できる。
【００３８】
本実施形態では、便鉢部２０は、開口縁２０Ｒに便鉢部２０の中央側に向けて突出するオーバーハング部２７を更に有する。傾斜面４０は、オーバーハング部２７の上面に形成されている。この構成によれば、傾斜面４０によって、水洗式便器１０の上方に取り付けられる機能部９１等との干渉を防ぎつつ、開口縁２０Ｒの後方においてオーバーハング部２７の突出量を確保することができる。この結果、オーバーハング部２７により、便鉢部２０内を旋回する洗浄水が便鉢部２０の後方において巻き上がることを抑制できる。
【００３９】
本実施形態では、オーバーハング部２７の下面４１は、開口縁２０Ｒの後方において、便鉢部２０の中央から外側に向かうにつれて下方に傾斜する。この構成によれば、オーバーハング部の下面が便鉢部の中央から外側に水平に延びる構成に比して立ち面２５Ａの高さ寸法が小さくなり、導水路２５を流れる洗浄水の旋回流による洗浄力が向上する。さらに、便鉢部２０の外側においてオーバーハング部２７の上面と下面４１との間の寸法を確保することができ、オーバーハング部２７を中空状に形成することができる。
【００４０】
本実施形態では、上方に機能部９１が取り付けられる水洗式便器１０であって、傾斜面４０が、機能部９１のベースプレート９１Ａの下面に沿って傾斜する形をなす。この構成によれば、傾斜面４０によって、水洗式便器１０の上方に取り付けられる機能部９１の干渉を防ぎつつ、便鉢部２０の後方においてオーバーハング部２７の突出量を確保することができる。この結果、オーバーハング部２７により、便鉢部２０内を旋回する洗浄水が便鉢部２０の後方において巻き上がることを抑制できる。
【００４１】
本開示は上記記述及び図面によって説明した実施形態に限定されない。
【００４２】
（１）実施形態１とは異なり、便鉢部は第２吐水口を備えなくてもよい。便鉢部は更に別の吐水口を備えていてもよい。
【００４３】
（２）第１吐水口及び第２吐水口は、実施形態１とは異なる場所であって、便鉢部内に良好な洗浄水の流れを形成できる場所に形成してもよい。
【００４４】
（３）実施形態１とは異なり、傾斜面は、オーバーハング部を有しない便鉢部の開口縁に形成されていてもよい。傾斜面の幅寸法はオーバーハング部の突出量より大きくてもよい。
【００４５】
（４）実施形態１とは異なり、オーバーハング部の下面は、水平方向に沿って延びる面とされていてもよい。オーバーハング部は中実状をなしていてもよい。
【００４６】
（５）実施形態１とは異なり、傾斜面は、上方に機能部品が取り付けられない水洗式便器においても有用である。
【００４７】
（６）実施形態１以外にも、上面部の後面部に凹設される空間の構成は変更可能である。例えば、上面部の後面部に凹設される空間には、機能部を収納するための開口が設けられていてもよい。
【符号の説明】
【００４８】
１０…水洗式便器、２０…便鉢部、２０Ｒ…開口縁、２７…オーバーハング部、４０…傾斜面、４１…下面、９０…便座装置（機能部品）、９１Ａ…ベースプレート
【図１】
2020200607.tif 000003
【図２】
2020200607.tif 000004
【図３】
2020200607.tif 000005
【図４】
2020200607.tif 000006
【図５】
2020200607.tif 000007
【図６Ａ】
2020200607.tif 000008
【図６Ｂ】
2020200607.tif 000009